(57)【要約】【課題】正規の状態で電気接続箱に装着されたか否かを容易に認識することを可能とすることができるヒューズを提供することにある。【解決手段】ヒューズ１は一対の端子７と可溶体８とハウジング９とカバー部材１０を備えている。端子７は互いに並設されてそれぞれがバスバと接続する。可溶体は８一対の端子７を互いに接続している。ハウジング９は筒状に形成され可溶体８と一対の端子７を収容する。カバー部材１０は仮係止部１１と本係止部１２によって第１の位置と該第１の位置よりもバスバ寄りの第２の位置とに亘って移動自在にハウジング９に取り付けられる。カバー部材１０が第１の位置から第２の位置に向かって移動するのに必要とされる押圧力が端子７がバスバと接続する際に必要とされる力よりも大きく設定されている。【選択図】図２
2008021454.tif 000002
【特許請求の範囲】
【請求項１】
互いに並設されてそれぞれが相手方の端子と接続する一対の端子と、
前記一対の端子を互いに接続した可溶体と、
前記可溶体と前記一対の端子とを収容するハウジングと、を備えたヒューズにおいて、
第１の位置から該第１の位置よりも前記相手方の端子寄りの第２の位置に向かって移動可能に前記ハウジングに取り付けられた取付部材を備え、
前記取付部材が前記第１の位置から前記第２の位置に向かって移動するのに必要とされる押圧力が、前記端子が前記相手方の端子と接続する際に必要とされる力よりも大きく設定されていることを特徴とするヒューズ。
【請求項２】
前記取付部材が、前記ハウジングの前記相手方の端子から離れた側の開口を塞ぐカバー部材であることを特徴とする請求項１記載のヒューズ。
【請求項３】
前記一対の端子それぞれから前記カバー部材に向かって延在して設けられた一対の延長部と、
前記カバー部材に設けられかつ前記延長部を外部に露出させる一対の露出孔と、を備えたことを特徴とする請求項２記載のヒューズ。
【請求項４】
前記カバー部材が前記第２の位置に位置付けられると、前記カバー部材の外表面と延長部の先端とが面一となることを特徴とする請求項３記載のヒューズ。
【請求項５】
前記カバー部材が前記第１の位置に位置付けられると、前記延長部が前記露出孔内と間隔をあけるとともに、
前記カバー部材が前記第２の位置に位置付けられると、前記延長部が前記露出孔内に侵入して当該露出孔の内面と接触することを特徴とする請求項３又は請求項４記載のヒューズ。
【発明の詳細な説明】
【技術分野】
【０００１】
本発明は、予め定められた所定の値を超える電流が流れると、可溶体の溶断部が溶断して、電流を遮断するヒューズに関する。
【背景技術】
【０００２】
移動体としての車両には、各種の電子機器が搭載される。このため、前述した自動車は、これらの電子機器に所望の電力を供給するために、電力伝送ラインが数多く配設される。
【０００３】
また、前述した電力伝送ラインには、各種の電子機器の電気回路を保護するために、多数のヒューズ（例えば、特許文献１参照）を抜き差し可能に配設したヒューズブロックが用いられている（ヒューズブロックは、リレー又はバスバーなどを有することもあることから、リレーボックス若しくはジャンクションブロック、又は総称して電気接続箱とも呼ばれる。本明細書では、前述したヒューズブロック、リレーボックス、ジャンクションブロックを、総称して以下電気接続箱と呼ぶ）。
【０００４】
前述した特許文献１に例示されたヒューズは、互いに間隔をあけて配される一対の端子金具と、当該端子金具同士を連結し所定の値をこえる電流が流れると溶断する溶断部を有した可溶体と、前記端子金具及び可溶体を収容したハウジングと、を備えている。前述したヒューズは、ハウジングが電気接続箱の箱本体などに装着されて、端子金具が該箱本体内のバスバーなどと接続して、当該電気接続箱に取り付けられる。
【０００５】
【特許文献１】特開２００４−２８１０７８号公報
【発明の開示】
【発明が解決しようとする課題】
【０００６】
前述した特許文献１に示されたヒューズは、前述した電気接続箱の箱本体により高密度で装着されるようになっている。このため、ヒューズは、他のヒューズなどと勿論密集する傾向であり、電気接続箱の箱本体により装着しにくくなる傾向である。また、前述したヒューズは、作業員が物理的な挿入限界もしくは視覚によって正規の状態で箱本体に装着されているか否かを判別することで、正規の状態で電気接続箱の箱本体に取り付けられるようになっている。なお、作業員が、正規の状態でヒューズが装着されているか否かを認識する際には、他のヒューズなどとの高さを比較することで行う。
【０００７】
このように、従来のヒューズは、電気接続箱の箱本体により装着しにくくなって、正規の状態ではない（中途嵌合）状態で当該箱本体に装着されやすくなっている。さらに、前述したヒューズは、箱本体に正規の状態で装着されたか否かを確認する手段が設けられていない。
【０００８】
したがって、本発明の目的は、正規の状態で電気接続箱に装着されたか否かを容易に認識することを可能とすることができるヒューズを提供することにある。
【課題を解決するための手段】
【０００９】
前記課題を解決し目的を達成するために、請求項１に記載の本発明のヒューズは、互いに並設されてそれぞれが相手方の端子と接続する一対の端子と、前記一対の端子を互いに接続した可溶体と、前記可溶体と前記一対の端子とを収容するハウジングと、を備えたヒューズにおいて、第１の位置から該第１の位置よりも前記相手方の端子寄りの第２の位置に向かって移動可能に前記ハウジングに取り付けられた取付部材を備え、前記取付部材が前記第１の位置から前記第２の位置に向かって移動するのに必要とされる押圧力が、前記端子が前記相手方の端子と接続する際に必要とされる力よりも大きく設定されていることを特徴としている。
【００１０】
請求項２に記載の本発明のヒューズは、請求項１記載のヒューズにおいて、前記取付部材が、前記ハウジングの前記相手方の端子から離れた側の開口を塞ぐカバー部材であることを特徴としている。
【００１１】
請求項３に記載の本発明のヒューズは、請求項２記載のヒューズにおいて、前記一対の端子それぞれから前記カバー部材に向かって延在して設けられた一対の延長部と、前記カバー部材に設けられかつ前記延長部を外部に露出させる一対の露出孔と、を備えたことを特徴としている。
【００１２】
請求項４に記載の本発明のヒューズは、請求項３記載のヒューズにおいて、前記カバー部材が前記第２の位置に位置付けられると、前記カバー部材の外表面と延長部の先端とが面一となることを特徴としている。
【００１３】
請求項５に記載の本発明のヒューズは、請求項３又は請求項４記載のヒューズにおいて、前記カバー部材が前記第１の位置に位置付けられると、前記延長部が前記露出孔内と間隔をあけるとともに、前記カバー部材が前記第２の位置に位置付けられると、前記延長部が前記露出孔内に侵入して当該露出孔の内面と接触することを特徴としている。
【００１４】
請求項１に記載した本発明のヒューズによれば、取付部材を第１の位置から当該第１の位置よりの相手方の端子寄りの第２の位置に向かって移動するために必要な押圧力が、端子が相手方の端子との必要とされる力よりも大きいために、電気接続箱などに装着する際に取付部材が電気接続箱に向かって押圧されると、端子が相手方の端子と完全に正規の状態で接続した後に、取付部材が第１の位置から第２の位置に移動する。
【００１５】
請求項２に記載した本発明のヒューズによれば、取付部材がカバー部材であるので、端子や可溶体に異物が接触することを防止でき、これらを外部と電気的に絶縁することができる。
【００１６】
請求項３に記載した本発明のヒューズによれば、端子それぞれに延長部が設けられ、カバー部材に延長部を露出させる露出孔が設けられているので、延長部間の導通を確認することで、可溶体の溶断部が溶断したか否かを把握することができる。このため、カバー部材を透明でかつ耐熱性を有する高コストの材料で構成して可溶体を目視可能にせずに、当該カバー部材を非透明でかつ耐熱性を有する低コストの材料で構成しても、可溶体の溶断部が溶断したか否かを把握することができる。
【００１７】
請求項４に記載した本発明のヒューズによれば、カバー部材が第２の位置に位置付けられると、カバー部材の外表面と延長部の先端とが面一となるので、カバー部材の外表面と延長部の先端とが互いに面一であるか否かを確認することで、カバー部材が第２の位置に位置付けられているか否かを容易に把握できる。
【００１８】
請求項５に記載した本発明のヒューズによれば、カバー部材が第１の位置に位置付けられていると、延長部が露出孔内と間隔をあけているので、相手方の端子と接続前の端子金具がハウジング内で移動自在となる。
【００１９】
また、カバー部材が第２の位置に位置付けられていると、延長部が露出孔の内面と接触するので、相手方の端子と接続した端子金具がハウジング内で移動することが規制される。
【発明の効果】
【００２０】
以上説明したように請求項１に記載の本発明によれば、電気接続箱などに装着する際に取付部材が電気接続箱に向かって押圧されると、端子が相手方の端子と完全に正規の状態で接続した後に、取付部材が第１の位置から第２の位置に移動する。このため、取付部材を押圧して、電気接続箱に装着して、該取付部材が第２の位置に位置付けられたか否かを把握することで、ヒューズが電気接続箱に正規の状態で装着されたか否かを容易に把握することができる。また、取付部材が第２の位置に位置付けられるまで、当該取付部材を押圧して電気接続箱に装着することで、ヒューズを正規の状態で確実に電気接続箱に装着することができる。
【００２１】
請求項２に記載の本発明によれば、端子や可溶体を外部と電気的に絶縁することができる。
【００２２】
請求項３に記載の本発明によれば、延長部間の導通を確認することで、可溶体の溶断部が溶断したか否かを把握することができるので、カバー部材を透明でかつ耐熱性を有する高コストの材料で構成して可溶体を目視可能にせずに、当該カバー部材を非透明でかつ耐熱性を有する低コストの材料で構成しても、可溶体の溶断部が溶断したか否かを把握することができる。したがって、カバー部材即ちヒューズ全体のコストの低減を図ることができる。
【００２３】
請求項４に記載の本発明によれば、カバー部材の外表面と延長部の先端が面一か否かを確認することで、カバー部材が第２の位置に位置付けられているか否かを容易に把握できる。したがって、ヒューズが電気接続箱に正規の状態で装着されたか否かをより容易に把握することができる。
【００２４】
請求項５に記載の本発明によれば、相手方の端子と接続前の端子金具がハウジング内で嵌合寸法公差の範囲内で移動自在となるので、ヒューズを電気接続箱に装着する際に、端子が相手方の端子と調芯され、接続しやすくなって、これらが接続するために必要となる該ヒューズを電気接続箱に向かって押圧する力が大きくなることを防止できる。したがって、ヒューズを電気接続箱に装着しやすくなる。
【００２５】
また、相手方の端子と接続した端子金具の延長部が露出孔の内面と接触することで、ハウジング内で移動することを規制できるので、ヒューズの電気接続箱への装着後に、端子がヒューズ内で振動することを防止でき、該端子と相手方の端子とが例えば微摺動磨耗することを防止できる。
【発明を実施するための最良の形態】
【００２６】
以下、本発明の一実施形態にかかるヒューズを、図１ないし図１２を参照して説明する。本発明の一実施形態に係るヒューズ１は、図１に示す電気接続箱２の箱本体３に設けられた装着部４に装着される。
【００２７】
電気接続箱２は、図８、図９及び図１１に示すように、箱状の箱本体３と、該箱本体３内に収容された配線盤５とを備えている。箱本体３の外壁３ａには、前述した装着部４と、図示しないコネクタ結合部とが設けられている。装着部４は、箱本体３の外壁３ａに複数設けられ、それぞれ、筒状に形成されており、外壁３ａから立設している。装着部４は、内側にヒューズ１を収容して、当該ヒューズ１を装着する。
【００２８】
コネクタ結合部は、箱本体３の外壁３ａに複数設けられ、それぞれ、外壁３ａから立設している。コネクタ結合部には、自動車に配索されるワイヤハーネスのコネクタが嵌合する。
【００２９】
配線盤５は、複数のバスバ６（図８、図９及び図１１中に一部を示す）と、絶縁板などを備えている。バスバ６は、導電性の板金の所定箇所が打ち抜かれたり、折り曲げられて形成されている。バスバ６には、前述した装着部４内に露出した帯板状のタブ（相手方の端子に相当する）６ａが設けられている。さらに、バスバ６には、前述したコネクタ結合部内に位置付けられる帯板状のタブも設けられている。絶縁板は、バスバ６間に配置されて、バスバ６同士を電気的に絶縁している。前述した配線盤５は、バスバ６と絶縁板とが交互に積層されて組み立てられて、前述した箱本体３内に収容される。
【００３０】
前述した電気接続箱２は、装着部４にヒューズ１が装着され、かつコネクタ結合部にワイヤハーネスのコネクタが嵌合して、移動体としての自動車に搭載される。そして、電気接続箱２は、自動車に搭載されるバッテリなどの電源と、ヒューズ１と、自動車に搭載される各種の電子機器とを予め定められたパターンとおりに電気的に接続する。
【００３１】
ヒューズ１は、図２に示すように、一対の端子７と、これら一対の端子７を互いに接続した可溶体８と、一対の端子７及び可溶体８を収容したハウジング９と、該ハウジング９に取り付けられる取付部材としてのカバー部材１０と、仮係止部１１と、本係止部１２とを備えている。
【００３２】
端子７は、それぞれ導電性を有する材料で構成されている。端子７は、四角筒状に形成された端子本体１３と、該端子本体１３内に設けられたばね片１４（図８、図９及び図１１に示す）とを備えている。ヒューズ１が装着部４に装着されると、端子本体１３内には、相手方の端子としてのタブ６ａが侵入する。ばね片１４は、端子本体１３内に浸入したタブ６ａを端子本体１３の内面に向かって押圧して、タブ６ａと端子本体１３即ち端子７とを互いに接続する。一対の端子７は、互いに間隔をあけて、端子本体１３が互いに平行に配置されている。また、一対の端子７各々には、ハウジング９の内面に係止する係止片１５が立設している。
【００３３】
前述した構成の一対の端子７は、ヒューズ１が電気接続箱２の装着部４に装着されるとこの電気接続箱２のタブ６ａと接続する。一方の端子７には、タブ６ａなどを介して、電源などから電力が供給される。他方の端子７には、タブ６ａなどを介して、各種の電子機器が接続している。
【００３４】
可溶体８は、一対の端子７の端子本体１３の長手方向の一端同士を連結した略帯状の可溶導体部１６と、該可溶導体部１６の長手方向の中央部に取り付けられた溶断部１７とを備えている。可溶体８は、一方の端子７から他方の端子７に向かって流れる電流が、あらかじめ定められた値を超えると、溶断部１７及び可溶導体部１６が溶断して、一対の端子７間の電流の流れを遮断する。前述した一対の端子７と、可溶体８の可溶導体部１６とは、一枚の板金に打ち抜き加工や曲げ加工が施されて、得られる。
【００３５】
ハウジング９は、絶縁性を有する合成樹脂で構成されている。ハウジング９は、四角筒状に形成されている。ハウジング９は、その内側に前述した一対の端子７及び可溶体８を収容する。ハウジング９は、装着部４内に収容されて、当該装着部４に装着される。ハウジング９の装着部４から離れた側の端部には、固定凸部１８が設けられている。固定凸部１８は、ハウジング９の互いに間隔をあけて相対する外壁９ａに二つずつ設けられている。これら二つの固定凸部１８は、互いに間隔をあけて配置されている。
【００３６】
カバー部材１０は、絶縁性を有しかつ非透明の安価な合成樹脂で構成されている。カバー部材１０は、平板状に形成されている。カバー部材１０は、後述する仮係止部１１や本係止部１２によって、ハウジング９に取り付けられる。カバー部材１０は、本係止部１２によってハウジング９に取り付けられると、該ハウジング９の装着部４即ち該装着部４内の相手方の端子としてのタブ６ａから離れた側の開口１９（図８、図９及び図１１に示す）を塞ぐ。
【００３７】
仮係止部１１は、仮係止凸部２０と、仮係止片２１とを備えている。仮係止凸部２０は、前述した固定凸部１８各々の前述した開口１９寄りの縁に設けられている。仮係止凸部２０は、各々の固定凸部１８に一つずつ設けられている。仮係止凸部２０は、同じ外壁９ａに設けられた二つの固定凸部１８の前述した縁から当該二つの固定凸部１８同士が互いに離れる方向に突出している。
【００３８】
仮係止片２１は、カバー部材１０の長手方向の両端に位置する外縁１０ａ各々から立設している。仮係止片２１は、前述した外縁１０ａに二つずつ設けられている。同じ外縁１０ａに設けられた二つの仮係止片２１は、互いに間隔をあけて配置され、かつそれぞれがカバー部材１０の隅部に配置されている。仮係止片２１は、カバー部材１０の外縁１０ａからハウジング９に向かって立設した本体部２２と、該本体部２２のカバー部材１０から離れた側の縁から同じ外縁１０ａに設けられた二つの仮係止片２１同士が近づく方向に突出した凸部２３とを備えている。
【００３９】
仮係止片２１は、カバー部材１０を前述したハウジング９の開口１９に近づけると、凸部２３が仮係止凸部２０に接触する。そして、仮係止片２１は、カバー部材１０がハウジング９の開口１９に向かって押圧されると、一旦、本体部２２同士が互いに離れる方向に弾性変形した後に、凸部２３が仮係止凸部２０を乗り越えて、本体部２２が弾性変形していない中立状態に復帰する。そして、仮係止片２１は、凸部２３が仮係止凸部２０よりも装着部４内の相手方の端子としてのタブ６ａ寄りに位置付けられて、当該仮係止凸部２０に係止する。
【００４０】
本係止部１２は、本係止凸部２４と、本係止片２５とを備えている。本係止凸部２４は、前述した固定凸部１８各々の前述した開口１９から離れて相手方の端子としてのタブ６ａ寄りの縁に設けられている。本係止凸部２４は、各々の固定凸部１８に一つずつ設けられている。本係止凸部２４は、同じ外壁９ａに設けられた二つの固定凸部１８の前述した縁から当該二つの固定凸部１８同士が互いに近づく方向に突出している。
【００４１】
本係止片２５は、カバー部材１０の長手方向の両端に位置する外縁１０ａ各々から立設している。本係止片２５は、前述した外縁１０ａに二つずつ設けられている。同じ外縁１０ａに設けられた二つの本係止片２５は、互いに間隔をあけて配置され、かつそれぞれがカバー部材１０の外縁１０ａの中央部（即ち、二つの仮係止片２１間）に配置されている。本係止片２５は、カバー部材１０の外縁１０ａからハウジング９に向かって立設した本体部２６と、該本体部２６のカバー部材１０から離れた側の縁から同じ外縁１０ａに設けられた二つの本係止片２５同士が離れる方向に突出した凸部２７とを備えている。本係止片２５の本体部２６は、仮係止片２１の本体部２２よりも長く形成されている。
【００４２】
本係止片２５は、仮係止片２１が仮係止凸部２０に係止した状態で、凸部２７が本係止凸部２４に接触する。そして、本係止片２５は、カバー部材１０がハウジング９の開口１９に向かって押圧されると、一旦、本体部２６同士が互いに近づく方向に弾性変形した後に、凸部２７が本係止凸部２４を乗り越えて、本体部２６が弾性変形していない中立状態に復帰する。そして、本係止片２５は、凸部２７が本係止凸部２４よりも装着部４内の相手方の端子としてのタブ６ａ寄りに位置付けられて、当該本係止凸部２４に係止する。本係止部１２の本係止片２５が、本係止凸部２４に係止すると、カバー部材１０は、ハウジング９の開口１９を囲む縁に密着して、当該ハウジング９の開口１９を塞ぐ。
【００４３】
前述した仮係止部１１と本係止部１２によって、カバー部材１０は、仮係止部１１の仮係止片２１が仮係止凸部２０に係止した図３及び図４に示す第１の位置と、本係止部１２の本係止片２５が本係止凸部２４に係止した図５及び図６に示す第２の位置との双方で、ハウジング９に固定されるようになっている。カバー部材１０は、本係止部１２の本係止片２５が弾性変形することで、第１の位置から第２の位置に向かって、移動可能となっている。勿論、本体部２２，２６が前述した長さに形成されているので、カバー部材１０は、第１の位置よりも第２の位置で相手方の端子としてのタブ６ａ寄りに位置付けられる。第２の位置では、カバー部材１０は、ハウジング９の開口１９を塞ぐ。
【００４４】
また、カバー部材１０を第１の位置から第２の位置に向かって移動させる際に、本係止部１２の本係止片２５が弾性変形して凸部２７が本係止凸部２４を乗り越えるために必要とされるカバー部材１０をタブ６ａに向かって押圧する力（押圧力という）は、ハウジング９内の端子７のばね片１４の弾性復元力などに抗してタブ６ａが端子本体１３内に侵入して当該端子本体１３の正規の位置に位置付けられるために必要とされる端子７の端子本体１３内にタブ６ａを圧入する力よりも十分に大きい。即ち、本係止片２５は、前述した押圧力が前述した圧入する力よりも十分に大きくなる構成となっている。このように、カバー部材１０が第１の位置から第２の位置に向かって移動するのに必要とされるカバー部材１０をタブ６ａに向かって押圧する押圧力が、端子がタブ６ａと接続する際に必要とされる端子７内にタブ６ａを圧入する力よりも大きく設定されている。
【００４５】
また、前述したヒューズ１は、図７などに示すように、一対の延長部２８と、一対の露出孔２９とを備えている。延長部２８は、それぞれ、帯板状に形成され、一対の端子７それぞれからカバー部材１０に向かって延在している。延長部２８の長手方向は、ヒューズ１を装着部４に装着する際に当該装着部４内にヒューズ１を押圧する方向と平行である。露出孔２９は、カバー部材１０を貫通した孔である。露出孔２９は、内側を通して、延長部２８をカバー部材１０の外部に露出させる。露出孔２９は、互いにカバー部材１０の平面形上の中心を中心とした点対称となる位置に配置されている。
【００４６】
また、カバー部材１０が第１の位置に位置付けられると、図１０に示すように、延長部２８が露出孔２９内と間隔をあける。このため、カバー部材１０が第１の位置に位置付けられると、可溶体８の弾性変形によって、端子７がハウジング９内で移動自在となる。カバー部材１０が第２の位置に位置付けられると、図１２に示すように、延長部２８が露出孔２９内に侵入するとともに、延長部２８の外周面が露出孔２９の内面と密に接触する。さらに、カバー部材１０が第２の位置に位置付けられると、図１２に示すように、カバー部材１０の外表面１０ｂと延長部２８の先端２８ａとが面一になる。
【００４７】
前述した構成のヒューズ１を電気接続箱２の取り付ける際には、以下のように行う。まず、仮係止部１１によって、カバー部材１０を第１の位置に位置付けてハウジング９に取り付けておく。そして、図８に示すように、装着部４の開口部と、ヒューズ１のカバー部材１０の反対側の端部とを、間隔をあけて相対させる。そして、装着部４内にヒューズ１を徐々に挿入して、カバー部材１０を装着部４の奥即ち相手方の端子としてのタブ６ａに向かって押圧する。すると、前述した押圧力が、端子本体１３内にタブ６ａを圧入するために必要とされる力よりも大きく設定されているので、カバー部材１０が、第１の位置から第２の位置に向かって移動することなく、ハウジング９が装着部４の奥に向かって移動する。
【００４８】
そして、図９に示すように、装着部４の底面とハウジング９とが密に重なって、端子本体１３内の正規の位置にタブ６ａが位置付けられて、端子７とタブ６ａとが接続する。更に、カバー部材１０を装着部４の奥即ちタブ６ａに向かって押圧すると、本係止部１２の本係止片２５の本体部２６が弾性変形して、凸部２７が本係止凸部２４上を乗り越えて、カバー部材１０が、図１１に示すように、第２の位置に位置付けられる。こうして、図１１に示すように、ヒューズ１が装着部４に装着される。なお、第１の位置から第２の位置に向かって、カバー部材１０が移動する際には、延長部２８が徐々に露出孔２９内に侵入して、該露出孔２９の内面に摺接する。そして、カバー部材１０が第２の位置に位置付けられると、図１２に示すように、延長部２８の先端２８ａとカバー部材１０の外表面１０ｂとが面一になる。
【００４９】
本実施形態によれば、カバー部材１０を第１の位置から当該第１の位置よりの相手方の端子としてのタブ６ａ寄りの第２の位置に向かって移動するために必要な押圧力が、端子７のタブ６ａとの接続に必要とされる力よりも大きいために、電気接続箱２などに装着する際にカバー部材１０が電気接続箱２に向かって押圧されると、端子７がタブ６ａと完全に正規の状態で接続した後に、カバー部材１０が第１の位置から第２の位置に移動する。
【００５０】
このため、カバー部材１０を押圧して、電気接続箱２に装着して、該カバー部材１０が第２の位置に位置付けられたか否かを把握することで、ヒューズ１が電気接続箱２に正規の状態で装着されたか否かを容易に把握することができる。また、カバー部材１０が第２の位置に位置付けられるまで、当該カバー部材１０を押圧して電気接続箱２に装着することで、ヒューズ１を正規の状態で確実に電気接続箱２に装着することができる。
【００５１】
カバー部材１０がハウジング９の開口１９を塞ぐので、端子７や可溶体８に異物が接触することを防止でき、これらを外部と電気的に絶縁することができる。
【００５２】
端子７それぞれに延長部２８が設けられ、カバー部材１０に延長部２８を露出させる露出孔２９が設けられているので、延長部２８間の導通を確認することで、可溶体８の溶断部１７が溶断したか否かを把握することができる。このため、カバー部材１０を透明でかつ耐熱性を有する高コストの材料で構成して可溶体８を目視可能にせずに、当該カバー部材１０を非透明でかつ耐熱性を有する低コストの材料で構成しても、可溶体８の溶断部１７が溶断したか否かを把握することができる。したがって、カバー部材１０即ちヒューズ１全体のコストの低減を図ることができる。
【００５３】
カバー部材１０が第２の位置に位置付けられると、カバー部材１０の外表面１０ｂと延長部２８の先端２８ａとが面一となるので、カバー部材１０の外表面１０ｂと延長部２８の先端２８ａとが面一であるか否かを確認することで、カバー部材１０が第２の位置に位置付けられているか否かを容易に把握できる。したがって、ヒューズ１が電気接続箱２に正規の状態で装着されたか否かをより容易に把握することができる。
【００５４】
また、カバー部材１０が第２の位置に位置付けられると、カバー部材１０の外表面１０ａと延長部２８の先端２８ａとが面一になるので、延長部２８に端子７間の導通を把握するためのプローブなどを接触しやすくなり、可溶体８の溶断部１７が溶断したか否かを容易に把握できる。
【００５５】
カバー部材１０が第１の位置に位置付けられていると、延長部２８が露出孔２９内と間隔をあけているので、タブ６ａと接続前の端子７が、可溶体８のみで支持されることとなって、ハウジング９の嵌合寸法公差内で移動自在となる。ヒューズ１を電気接続箱２に装着する際に、端子７がタブ６ａと調芯され、接続しやすくなって、これらが接続するために必要となる該ヒューズ１を電気接続箱２に向かって押圧する力が大きくなることを防止できる。したがって、ヒューズ１を電気接続箱２に装着しやすくなる。
【００５６】
また、カバー部材１０が第２の位置に位置付けられていると、延長部２８が露出孔２９の内面と接触するので、タブ６ａと接続した端子７がハウジング９内で移動することが規制される。このため、ヒューズ１の電気接続箱２への装着後に、端子７がハウジング９内で振動することを防止でき、該端子７とタブ６ａとが例えば微摺動磨耗することを防止できる。
【００５７】
前述した実施形態では、取付部材として、ハウジング９の開口１９を塞ぐカバー部材１０を示している。しかしながら、本発明では、取付部材としてカバー部材１０以外を用いても良い。即ち、本発明では、取付部材は、ハウジング９の開口１９を塞ぐものでなくてもよく、ヒューズ１を装着部４に装着する際に、当該ヒューズ１を装着部４の奥に向かって押圧しやすくするための部材であっても良い。
【００５８】
また、前述した実施形態では、第１の位置では露出孔２９内に延長部２８が侵入せずに、第２の位置では、露出孔２９内に延長部２８が侵入するようになっている。しかしながら、本発明では、第１の位置と第２の位置との双方において、露出孔２９内に延長部２８が侵入してもしなくても良い。さらに、第２の位置で、カバー部材１０の外表面１０ｂと延長部２８の先端２８ａとが面一になっても良く、面一にならなくても良い。
【００５９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６０】
【図１】本発明の一実施形態に係るヒューズなどを示す斜視図である。
【図２】図１に示されたヒューズの分解斜視図である。
【図３】図１に示されたヒューズのカバー部材が第１の位置に位置付けられた状態の側面図である。
【図４】図３に示されたヒューズの正面図である。
【図５】図１に示されたヒューズのカバー部材が第２の位置に位置付けられた状態の側面図である。
【図６】図５に示されたヒューズの正面図である。
【図７】図５に示されたヒューズの平面図である。
【図８】図３に示されたヒューズと装着部とを相対させた状態を一部断面で示す正面図である。
【図９】図８に示されたヒューズを装着部内に挿入した状態を一部断面で示す正面図である。
【図１０】図９に示されたヒューズの延長部と露出孔とを示す断面図である。
【図１１】図９に示されたヒューズのカバー部材が第２の位置に位置付けられた状態を一部断面で示す正面図である。
【図１２】図１１に示されたヒューズの延長部と露出孔とを示す断面図である。
【符号の説明】
【００６１】
１  ヒューズ
６ａ  タブ（相手方の端子）
７  端子
８  可溶体
９  ハウジング
１０  カバー部材（取付部材）
１０ｂ  外表面
１９  開口
２８  延長部
２８ａ  先端
２９  露出孔
【図１】
2008021454.tif 000003
【図２】
2008021454.tif 000004
【図３】
2008021454.tif 000005
【図４】
2008021454.tif 000006
【図５】
2008021454.tif 000007
【図６】
2008021454.tif 000008
【図７】
2008021454.tif 000009
【図８】
2008021454.tif 000010
【図９】
2008021454.tif 000011
【図１０】
2008021454.tif 000012
【図１１】
2008021454.tif 000013
【図１２】
2008021454.tif 000014